(57)【要約】【課題】時間や労力をかけることなく、その時点でのユーザに最も適した範囲のコミュニティを形成できるようにする。【解決手段】ユーザの操作するクライアント装置と、取得したデータを記憶する記憶手段を備えるサーバ装置と、を有して構成される情報処理システムであって、サーバ装置は、クライアント装置からのユーザデータを記憶手段に格納し、データベースとして蓄積するユーザデータ蓄積手段と、クライアント装置からのコミュニティ提供要求を受け、記憶手段に格納されたユーザデータを用いたマッチングを行ってユーザ間の相関関係を求め、コミュニティ形成相手の候補ユーザを検索するユーザマッチング手段と、コミュニティ提供要求に係るユーザとユーザマッチング手段により検索された候補ユーザとがコミュニティを形成するためのコミュニティ情報を生成するコミュニティ情報生成手段と、を有する。【選択図】図１
2010152477.tif 000002
【特許請求の範囲】
【請求項１】
ユーザの操作するクライアント装置と、取得したデータを記憶する記憶手段を備えるサーバ装置と、を有して構成される情報処理システムであって、
前記サーバ装置は、
前記クライアント装置からのユーザデータを前記記憶手段に格納し、データベースとして蓄積するユーザデータ蓄積手段と、
前記クライアント装置からのコミュニティ提供要求を受け、前記記憶手段に格納されたユーザデータを用いたマッチングを行ってユーザ間の相関関係を求め、コミュニティ形成相手の候補ユーザを検索するユーザマッチング手段と、
前記コミュニティ提供要求に係るユーザと前記ユーザマッチング手段により検索された候補ユーザとがコミュニティを形成するためのコミュニティ情報を生成するコミュニティ情報生成手段と、
を有することを特徴とする情報処理システム。
【請求項２】
前記コミュニティ情報生成手段は、前記コミュニティ情報として、ユーザ間でのコミュニケーション方法、コミュニティ構成ユーザ、前記構成ユーザの連絡先データを生成し、前記構成ユーザに前記コミュニティ情報を送信してコミュニティ開設を通知することを特徴とする請求項１に記載の情報処理システム。
【請求項３】
前記ユーザデータ蓄積手段は、前記クライアント装置から受信したユーザデータを解析し分類してデータベースとして蓄積することを特徴とする請求項１又は２に記載の情報処理システム。
【請求項４】
前記ユーザマッチング手段は、前記コミュニティ提供要求に係るユーザと相関関係の強いユーザを、コミュニティ形成相手の候補ユーザとして検索することを特徴とする請求項１から３のいずれか１項に記載の情報処理システム。
【請求項５】
前記コミュニティ情報生成手段は、前記コミュニティ情報として、掲示板やチャットを利用するためのＵＲＬ又はメールを行うためのメールアドレスを生成することを特徴とする請求項１から４のいずれか１項に記載の情報処理システム。
【請求項６】
ユーザの操作するクライアント装置とともに情報処理システムを構成し、取得したデータを記憶する記憶手段を備えるサーバ装置であって、
前記クライアント装置からのユーザデータを前記記憶手段に格納し、データベースとして蓄積するユーザデータ蓄積手段と、
前記クライアント装置からのコミュニティ提供要求を受け、前記記憶手段に格納されたユーザデータを用いたマッチングを行ってユーザ間の相関関係を求め、コミュニティ形成相手の候補ユーザを検索するユーザマッチング手段と、
前記コミュニティ提供要求に係るユーザと前記ユーザマッチング手段により検索された候補ユーザとがコミュニティを形成するためのコミュニティ情報を生成するコミュニティ情報生成手段と、
を有することを特徴とするサーバ装置。
【請求項７】
前記コミュニティ情報生成手段は、前記コミュニティ情報として、ユーザ間でのコミュニケーション方法、コミュニティ構成ユーザ、前記構成ユーザの連絡先データを生成し、前記構成ユーザに前記コミュニティ情報を送信してコミュニティ開設を通知することを特徴とする請求項６に記載のサーバ装置。
【請求項８】
前記ユーザデータ蓄積手段は、前記クライアント装置から受信したユーザデータを解析し分類してデータベースとして蓄積することを特徴とする請求項６又は７に記載のサーバ装置。
【請求項９】
前記ユーザマッチング手段は、前記コミュニティ提供要求に係るユーザと相関関係の強いユーザを、コミュニティ形成相手の候補ユーザとして検索することを特徴とする請求項６から８のいずれか１項に記載のサーバ装置。
【請求項１０】
前記コミュニティ情報生成手段は、前記コミュニティ情報として、掲示板やチャットを利用するためのＵＲＬ又はメールを行うためのメールアドレスを生成することを特徴とする請求項６から９のいずれか１項に記載のサーバ装置。
【請求項１１】
ユーザの操作するクライアント装置と、取得したデータを記憶する記憶手段を備えるサーバ装置と、を有して構成される情報処理システムでのコミュニティ提供方法であって、
前記サーバ装置において、
前記クライアント装置からのユーザデータを前記記憶手段に格納し、データベースとして蓄積するユーザデータ蓄積ステップと、
前記クライアント装置からのコミュニティ提供要求を受け、前記記憶手段に格納されたユーザデータを用いたマッチングを行ってユーザ間の相関関係を求め、コミュニティ形成相手の候補ユーザを検索するユーザマッチングステップと、
前記コミュニティ提供要求に係るユーザと前記ユーザマッチングステップで検索された候補ユーザとがコミュニティを形成するためのコミュニティ情報を生成するコミュニティ情報生成ステップと、
を有することを特徴とするコミュニティ提供方法。
【請求項１２】
前記コミュニティ情報生成ステップは、前記コミュニティ情報として、ユーザ間でのコミュニケーション方法、コミュニティ構成ユーザ、前記構成ユーザの連絡先データを生成し、前記構成ユーザに前記コミュニティ情報を送信してコミュニティ開設を通知することを特徴とする請求項１１に記載のコミュニティ提供方法。
【請求項１３】
ユーザの操作するクライアント装置と、取得したデータを記憶する記憶手段を備えるサーバ装置と、を有して構成される情報処理システムで用いられるプログラムであって、
前記サーバ装置のコンピュータに、
前記クライアント装置からのユーザデータを前記記憶手段に格納し、データベースとして蓄積するユーザデータ蓄積ステップと、
前記クライアント装置からのコミュニティ提供要求を受け、前記記憶手段に格納されたユーザデータを用いたマッチングを行ってユーザ間の相関関係を求め、コミュニティ形成相手の候補ユーザを検索するユーザマッチングステップと、
前記コミュニティ提供要求に係るユーザと前記ユーザマッチングステップで検索された候補ユーザとがコミュニティを形成するためのコミュニティ情報を生成するコミュニティ情報生成ステップと、
を実行させることを特徴とするプログラム。
【請求項１４】
前記コミュニティ情報生成ステップは、前記コミュニティ情報として、ユーザ間でのコミュニケーション方法、コミュニティ構成ユーザ、前記構成ユーザの連絡先データを生成し、前記構成ユーザに前記コミュニティ情報を送信してコミュニティ開設を通知することを特徴とする請求項１３に記載のプログラム。
【請求項１５】
請求項１３又は１４に記載のプログラムを記録しコンピュータ読み取り可能なことを特徴とする記録媒体。
【発明の詳細な説明】
【技術分野】
【０００１】
本発明は、情報処理システム、サーバ装置、コミュニティ提供方法、プログラム及び記録媒体に関し、特に、不特定多数のユーザの所有する通信端末がネットワーク接続された情報処理システムにおいて好ましく適用される技術に関するものである。
【背景技術】
【０００２】
近年、情報通信技術の発展に伴って、インターネット等のデータ通信ネットワーク上の社会でも、一般社会と同様に、目的や関心等を共有するユーザのコミュニティが様々に形成されている。ネット社会のコミュニティは、これまで電子掲示板やメーリングリスト、あるいはオフラインでの口コミや紹介といった方法で数多く形成されている。最近では、
人と人のつながりをサポートするｗｅｂサービスのＳＮＳ（Social Network Service）によりコミュニティ形成が促進され、友人や知人のつながりを通じて新たな人間関係の構築を試みるユーザも多い。
【０００３】
しかし、これまでのコミュニティ形成は、電子掲示板やメーリングリストにメンバー登録したり、またＳＮＳにおいて友人を誘ったり知人の紹介を受けたりする必要があった。すなわち、これまでのコミュニティ形成は、参加したいあるいは参加させたい人の積極的な働きかけを原動力としたものであり、コミュニティの形成や成長に時間や労力がかかるという問題があった。
【０００４】
例えば特許文献１では、アップデートな話題のコミュニティサイトの立ち上げを自然に自動的に行うことができるようにすることを目的としたコミュニティ生成システムが開示されている。このコミュニティ生成システムでは、サーバが、ユーザ情報と質問に対するキーワードを関連付けてデータベースに保持し、該データベースに保持されたキーワードのうち同一のキーワードをカウントして、カウント値が所定の値を超えた場合にそのキーワードに関するコミュニティを生成する。
【特許文献１】特開２００３−２８１０６９号公報
【発明の開示】
【発明が解決しようとする課題】
【０００５】
特許文献１の発明は、アップデートな話題のコミュニティサイトの立ち上げを自然に自動的に行うことを可能にするものとして、コミュニティの形成や成長に時間や労力がかかるという点を解消できる可能性はある。しかし、従来の方法で形成されたコミュニティはユーザにとって範囲が広すぎる場合があり、その時点でのユーザに最も適したコミュニティをピンポイントで構成することは困難である。
【０００６】
つまり、仮にユーザが上記のような行動をとってコミュニティのメンバーになったとしても、ユーザはその日、その時、その瞬間によって置かれたシチュエーションや気持ちが異なり、そのシチュエーションや気持ちによって話したいことや、伝えたい相手が異なる場合がある。そのため、従来の方法で形成されたコミュニティでは、ユーザのその一瞬の感情共有を行うことができないという問題があった。また、特定の相手とのコミュニケーションの場合、本音を話しにくいということもあった。
【０００７】
そこで、本発明は、時間や労力をかけることなく、その時点でのユーザに最も適した範囲のコミュニティを形成できるようにすることを目的とする。
【課題を解決するための手段】
【０００８】
かかる目的を達成するために、本発明の情報処理システムは、ユーザの操作するクライアント装置と、取得したデータを記憶する記憶手段を備えるサーバ装置と、を有して構成される情報処理システムであって、サーバ装置は、クライアント装置からのユーザデータを記憶手段に格納し、データベースとして蓄積するユーザデータ蓄積手段と、クライアント装置からのコミュニティ提供要求を受け、記憶手段に格納されたユーザデータを用いたマッチングを行ってユーザ間の相関関係を求め、コミュニティ形成相手の候補ユーザを検索するユーザマッチング手段と、コミュニティ提供要求に係るユーザとユーザマッチング手段により検索された候補ユーザとがコミュニティを形成するためのコミュニティ情報を生成するコミュニティ情報生成手段と、を有する。
【０００９】
また、本発明のサーバ装置は、ユーザの操作するクライアント装置とともに情報処理システムを構成し、取得したデータを記憶する記憶手段を備えるサーバ装置であって、クライアント装置からのユーザデータを記憶手段に格納し、データベースとして蓄積するユーザデータ蓄積部と、クライアント装置からのコミュニティ提供要求を受け、記憶手段に格納されたユーザデータを用いたマッチングを行ってユーザ間の相関関係を求め、コミュニティ形成相手の候補ユーザを検索するユーザマッチング部と、コミュニティ提供要求に係るユーザとユーザマッチング部により検索された候補ユーザとがコミュニティを形成するためのコミュニティ情報を生成するコミュニティ情報生成部と、を有する。
【００１０】
また、本発明のコミュニティ提供方法は、ユーザの操作するクライアント装置と、取得したデータを記憶する記憶手段を備えるサーバ装置と、を有して構成される情報処理システムでのコミュニティ提供方法であって、サーバ装置において、クライアント装置からのユーザデータを記憶手段に格納し、データベースとして蓄積するユーザデータ蓄積ステップと、クライアント装置からのコミュニティ提供要求を受け、記憶手段に格納されたユーザデータを用いたマッチングを行ってユーザ間の相関関係を求め、コミュニティ形成相手の候補ユーザを検索するユーザマッチングステップと、コミュニティ提供要求に係るユーザとユーザマッチングステップで検索された候補ユーザとがコミュニティを形成するためのコミュニティ情報を生成するコミュニティ情報生成ステップと、を有する。
【００１１】
また、本発明のプログラムは、ユーザの操作するクライアント装置と、取得したデータを記憶する記憶手段を備えるサーバ装置と、を有して構成される情報処理システムで用いられるプログラムであって、サーバ装置のコンピュータに、クライアント装置からのユーザデータを記憶手段に格納し、データベースとして蓄積するユーザデータ蓄積ステップと、クライアント装置からのコミュニティ提供要求を受け、記憶手段に格納されたユーザデータを用いたマッチングを行ってユーザ間の相関関係を求め、コミュニティ形成相手の候補ユーザを検索するユーザマッチングステップと、コミュニティ提供要求に係るユーザとユーザマッチングステップで検索された候補ユーザとがコミュニティを形成するためのコミュニティ情報を生成するコミュニティ情報生成ステップと、を実行させる。
【００１２】
また、本発明の記録媒体は、上記のプログラムを記録したコンピュータ読み取り可能な記録媒体である。
【発明の効果】
【００１３】
本発明によれば、時間や労力をかけることなく、その時点でのユーザに最も適した範囲のコミュニティを形成することが可能となる。
【発明を実施するための最良の形態】
【００１４】
本発明に係る情報処理システムは、図１に示すように、クライアント装置１０とサーバ装置２０を有して構成される。クライアント装置１０は、請求項に記載したクライアント装置に相当し、サーバ装置２０は請求項に記載したサーバ装置に相当する。また、サーバ装置２０は、取得したデータを記憶する記憶手段を備えるとともに、ユーザデータ蓄積手段２１、ユーザマッチング手段２２、コミュニティ情報生成手段２３を有する。
【００１５】
ユーザデータ蓄積手段２１は、請求項に記載したユーザデータ蓄積手段に相当する構成で、クライアント装置から取得したユーザデータを記憶手段に格納し、該ユーザデータをデータベースとして蓄積する。ユーザマッチング手段２２は、請求項に記載したユーザマッチング手段に相当する構成で、クライアント装置からのコミュニティ提供要求を受けて、データベースとして蓄積されたユーザデータを用いてマッチングを行い、ユーザ間の相関関係を求め、コミュニティ相手の候補ユーザを検索する。コミュニティ情報生成手段２３は、請求項に記載したコミュニティ情報生成手段に相当する構成で、コミュニティ提供要求を行ったユーザとマッチングで検索された候補ユーザとがコミュニティを形成するためのコミュニティ情報を生成する。
【００１６】
このように、本発明では、各ユーザから基本情報や日常的な情報等のユーザデータを取得し分析してデータベースとして蓄積し、質問や相談、話題提供といったコミュニティ提供要求を受けて、ユーザのシチュエーションや感情にマッチしたコミュニケーションの相手ユーザを検索してコミュニティを構築するための情報を生成する。このため、その時々の自分と同じシチュエーションにいる相手、自分と同じ経験知を持つ相手とマッチングでき、必要な時に必要な情方を不特定多数のユーザから得られるコミュニティを形成することができる。
【００１７】
以下、図面を参照しながら、本発明の実施形態について説明する。なお、以下の述べる実施形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１８】
はじめに本発明の実施形態に係る情報処理システムの構成について図１から図４を参照して説明する。本実施形態の情報処理システムは、不特定多数のユーザに対してフレキシブルなコミュニティ提供を行うシステムで、図２に示すように、データセンタをなすコミュニティサーバ２００、不特定多数のユーザが操作する携帯端末１００がネットワーク５０を介して接続されて構成されている。携帯端末１００は図１のクライアント装置１０に対応し、コミュニティサーバ２００は図１のサーバ装置２０に対応する。また、携帯端末１００は例えば携帯電話機、ＰＤＡ、小型ＰＣ等であり、コミュニティサーバ２００は例えばワークステーションサーバ等の情報処理装置であり、ネットワーク５０はインターネット等の通信ネットワークである。
【００１９】
携帯端末１００は、無線通信部１０１、放送受信部１０２、撮像部１０３、音声処理部１０４、表示部１０５、操作部１０６、検知部１０７、音声出力部１０８、記憶部１０９、制御部１１０を有する。無線通信部１０１は、アンテナを介して無線基地局装置との間で無線により情報の送受を行う。放送受信部１０２は、放送局から送信された放送信号（映像、音声、情報データ）の処理を行う。撮像部１０３は画像情報の取得（撮影）を行うカメラの機能を持ち、音声処理部１０４は、送話部（マイク）及び受話部（スピーカ）を介して入出力された音声信号の処理を行う。
【００２０】
表示部１０５は、画像、図形、文字、記号等の情報表示出力を行う。操作部１０６は、テンキー、スクロールキー、十字キー、決定キー等から構成され、携帯通信端末に対する利用者の操作入力を行う。検知部１０７は、携帯通信端末のユーザデータとして、例えば、位置情報、表情（喜怒哀楽）、体温、脈拍等の取得を行うセンサの機能を持ち、音声出力部１０８は、楽音や報知音等の鳴音出力を行うスピーカの機能を持つ。記憶部１０９は、電話帳情報、送受信メール情報、発着呼情報、コンテンツ情報、アプリケーションプログラム情報、及び携帯端末の諸設定等を格納する。制御部１１０は、電話、メール、インターネット接続、カメラ、放送受信、コンテンツ再生、プログラム実行、その他の端末の有する機能や各部の制御を行う。
【００２１】
コミュニティサーバ２００は、制御部２１０、記憶部２２０、通信部２３０を備える。具体的には、図３に示すように、制御部２１０は、コンピュータに本発明特有の動作処理を行わせる記憶部２１０から読み込んで主記憶上に構成した解析蓄積手段２１１、マッチング手段２１２、情報生成手段２１３を論理的に有する。また、記憶部２２０は、携帯端末１００から取得したユーザデータを蓄積するデータベース２２１を有する。通信部２３０は、ネットワーク５０に接続された携帯端末１００とデータ通信するための機能を有する。
【００２２】
解析蓄積手段２１１は、図１のユーザデータ蓄積手段２１に対応する構成で、携帯端末１００から通信部２３０を介して取得したユーザデータを解析し分類して、データベース２１１に蓄積する。マッチング手段２１２は、図１のユーザマッチング手段２２に対応する構成で、携帯端末１００からのコミュニティ提供要求に基づいて、要求を行ったユーザと他のユーザの相関関係を求めて、相関関係の強い（データベースの分類が一致する）ユーザ（候補ユーザ）を抽出するマッチングを行う。情報生成手段２１３は、図１のコミュニティ情報生成手段２３に対応する構成で、マッチング部２１２で候補ユーザが抽出されたとき、該要求を行ったユーザと候補ユーザとがコミュニティを形成するための情報（掲示板やチャットを行うためのＵＲＬや、メールアドレスを行うためのメーリングリスト等）を生成する。
【００２３】
次に、本実施形態の情報処理システムで行われるコミュニティ提供の動作について図４及び図５を参照して説明する。図４を用いて動作の概要を述べる。まず、携帯端末１００は、端末内部の検知部１０７や外部センサ７１〜７４からユーザデータを収集する（動作（１））。ユーザデータは、プロファイル（ユーザの住所、家族構成、勤務先等の基本情報）、ライフログ（ユーザの健康状態、体調等の身体情報）、シチュエーション情報（ユーザの現況を表す環境情報）等からなり、検知部や外部センサから主にライフログを取得する。なお、図示は省略しているが、プロファイルやシチュエーション情報は操作部１０６から入力される。
【００２４】
制御部１１０は、検知部１０７や外部センサ７１〜７４からユーザデータを受け取り、コミュニティサーバ２００へのアップロードを行う（動作（２））。コミュニティサーバ２００では、解析蓄積手段２１１が携帯端末１００からのユーザデータを解析して分類し、データベース２２１に蓄積する（動作（３））。
【００２５】
例えば携帯端末Ａ１００ａを操作するユーザＡから相談や質問がなされた場合、制御部１１０ａは操作部１０６ａからの入力内容をコミュニティ提供要求として、コミュニティサーバ２００に送信する（動作（４））。コミュニティサーバ２００では、マッチング手段２１２が該要求を受けて、データベース２２１の蓄積されたユーザデータを用いてマッチングを行い、ユーザＡと関連するユーザ（候補ユーザ）を検索する（動作（５））。ここでは、候補ユーザを携帯端末Ｂ１００ｂの所有者であるユーザＢとする。
【００２６】
情報生成手段２１３は、マッチング手段２１２で候補ユーザが検索されたとき、ユーザＡとユーザＢとがコミュニケーションを行うための場（例えば掲示板、チャット、メール、ＴＶ電話等）を設定する（動作（６））。また、情報生成手段２１３は、携帯端末Ａ１００ａや携帯端末Ｂ１００ｂに対して、コミュニティ設定の通知、コミュニティ情報の提供を行う（動作（７））。コミュニティ情報は、例えば掲示板やチャットでやり取りするためのＵＲＬ、メールを行うためのメールリスト、ＴＶ電話や電話を行うための電話番号リスト等である。コミュニティサーバ２００からコミュニティ設定の通知、コミュニティ情報の提供を受けた各携帯端末では、コミュニティ情報を用いてユーザ間でのコミュニケーションを行う（動作（８））。
【００２７】
続いて、図５を用いて各装置の具体的な動作処理について述べる。前提として、図４と同様に、コミュニティ提供要求を行うのは携帯端末Ａで、携帯端末Ｂはユーザ登録済みであるものとする。まず、携帯端末Ａは操作部から入力されたユーザのプロファイル（基本情報）を取得する（Ｓ１）。そして、無線通信部を介してコミュニティサーバへプロファイルを送信する（Ｓ２）。コミュニティサーバは、携帯端末からプロファイルを受信し（Ｓ３）、データベースに登録する（Ｓ４）。なお、プロファイルは、データベース登録後も同様のステップでコミュニティサーバへ送られ、登録時とデータが異なるときには更新が行われる。
【００２８】
そして、携帯端末Ａは、プロファイルとは別に、ライフログを端末内部の検知部や外部センサから取得し、シチュエーション情報を操作部や検知部から取得する（Ｓ５）。先に述べたように、ライフログは、ユーザの健康状態や体調を表す情報で、例えば体温、血圧、脈拍等のメディカルデータである。シチュエーション情報は、ユーザの現況を表す情報で、例えば仕事の悩み、家族の健康、趣味等に関するものが該当する。端末内部の検知部は例えば各種センサ（生体センサ、ＧＰＳ等）で構成され、外部センサは例えば体温計、血圧計、脈拍計、家庭内センサ、街頭センサ等で構成される。
【００２９】
そして、携帯端末Ａは、このようにして取得されたライフログやシチュエーション情報等をコミュニティサーバへ送信する（Ｓ６）。コミュニティサーバは、携帯端末Ａからのライフログやシチュエーション情報等のユーザデータを受信し（Ｓ７）、これらのデータを解析し分類して（Ｓ８）データベースに登録する（Ｓ９）。具体的には、コミュニティサーバは、受信したユーザデータがライフログかシチュエーション情報かを解析し、ライフログ（あるいはシチュエーション情報）の場合にどのデータ項目に該当するかを判定して分類する。そして、分類されたデータをデータベースの該当するデータ項目に登録する。なお、ライフログやシチュエーション情報等のユーザデータは、一定時間ごとに検知部等から情報収集し、その都度コミュニティサーバにアップロードを行うようにしてもよい。こうすれば、データベースに蓄積されるユーザデータが常に最新の状態を保つことができる。
【００３０】
その後、携帯端末Ａは、コミュニティ提供要求をコミュニティサーバへ送信する（Ｓ１０）。コミュニティサーバは、携帯端末Ａからのコミュニティ提供要求を受信し（Ｓ１１）、コミュニティ提供のための動作処理を開始する。まず、コミュニティサーバは、要求ユーザのユーザデータをデータベースから検索し、データベース内の全データとマッチングを行う（Ｓ１２）。マッチングは、要求ユーザのユーザデータが持つデータ項目とデータベース内の他のユーザデータが持つデータ項目の内容の一致・不一致をチェックする。そして、データ項目内容のチェック結果をもとにユーザ間の相関関係を求める（Ｓ１３）。データ一致率の高いデータのユーザが相関関係の強いユーザとなり、要求ユーザとの相関関係が強いユーザが候補ユーザとして選ばれる（Ｓ１４）。
【００３１】
要求ユーザとコミュニティを形成しうる候補ユーザが検索された後、コミュニティサーバは、該コミュニティを形成するための情報（コミュニティ情報）を生成する（Ｓ１５）。先に述べたように、コミュニティ情報は、例えば掲示板やチャットでやり取りするためのＵＲＬや、メールを行うためのメールリスト等である。コミュニケーションの手段（掲示板、チャット、メール）は、コミュニティ提供要求の中でユーザに指定させておき、この指定に基づいてコミュニティサーバが設定するようにしてもよいし、またコミュニティサーバ側で任意に設定するように構成することもできる。このようにしてコミュニティ情報が生成された後、コミュニティサーバは、携帯端末Ａ（要求ユーザ）や携帯端末Ｂ（候補ユーザ）に、コミュニティの場の設定（コミュニケーション手段の内容）の通知、コミュニケーションに必要な各種情報（ＵＲＬ、メーリングリスト等）を送信する（Ｓ１６）。
【００３２】
そして、携帯端末Ａや携帯端末Ｂは、コミュニティサーバからコミュニティ情報を受信し（Ｓ１７）、設定されたコミュニティにコミュニティ情報を用いてアクセスして各ユーザとのコミュニケーションを開始する（Ｓ１８）。
【００３３】
上述した本実施形態によれば、ユーザが置かれたその場その場のシチュエーション・感情を共有できる相手をマッチングし、個人を特定しない不特定多数のコミュニティを動的に開設することができる。また、ユーザは、個人を特定しない不特定の相手（ただしシチュエーションや感情は共有している）だからこそ本音で話せるコミュニケーションを行うことが可能となる。
【００３４】
また、本実施形態では、以下のような場合でも、ユーザはフレキシブルかつピンポイントにコミュニティを形成できる。第１の例として、あるＴＶ番組を観ている際に、同じ番組を観ている不特定の相手とその時だけ会話をしたい場合である。第２の例として、子育てママが具合が悪そうにしている子供の状況を誰かに相談したい場合である。第３の例として、介護が必要なお年寄りが生態センサ（端末内蔵センサの他、脈拍計、トイレに設置した尿検査センサ等）の情報を遠隔地の家族や医者に送信して体調を相談したい場合である。第４の例として、初めて訪れた街でその街に詳しい人と話をしたい場合である。
【００３５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００３６】
すなわち、本実施形態における情報処理システムで実行されるプログラムは、先に述べた各手段（ユーザデータ蓄積手段、ユーザマッチング手段、コミュニティ情報生成手段）を含むモジュール構成となっており、実際のハードウェアを用いて具体的手段を実現する。すなわち、コンピュータ（ＣＰＵ）が所定の記録媒体からプログラムを読み出して実行することにより上記各手段が主記憶装置上にロードされ、ユーザデータ蓄積手段、ユーザマッチング手段、コミュニティ情報生成手段が主記憶装置上に生成される。
【００３７】
本実施形態における情報処理システムで実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００３８】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００３９】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【図面の簡単な説明】
【００４０】
【図１】本発明に係る情報処理システムの構成を示した図である。
【図２】本発明の実施形態に係る情報処理システムの構成を示した図である。
【図３】本発明の実施形態に係るコミュニティサーバの構成を示した図である。
【図４】本発明の実施形態に係る情報処理システムの動作概要を説明するための図である。
【図５】本発明の実施形態に係る情報処理システムの各装置の動作処理を説明するための図である。
【符号の説明】
【００４１】
１０    クライアント装置
２０    サーバ装置
２１    ユーザデータ蓄積手段
２２    ユーザマッチング手段
２３    コミュニティ情報生成手段
５０    ネットワーク
７１〜７４    外部センサ
１００    携帯端末
１０１    無線通信部
１０２    放送受信部
１０３    撮像部
１０４    音声処理部
１０５    表示部
１０６    操作部
１０７    検知部
１０８    音声出力部
１０９，２２０    記憶部
１１０    制御部
２００    コミュニティサーバ
２１０    制御部
２１１    解析蓄積手段
２１２    マッチング手段
２１３    情報生成手段
２２１    データベース
２３０    通信部
【図１】
2010152477.tif 000003
【図２】
2010152477.tif 000004
【図３】
2010152477.tif 000005
【図４】
2010152477.tif 000006
【図５】
2010152477.tif 000007